(57)【特許請求の範囲】
【請求項１】
原稿の画像面を光源によりライン状に照射し、前記ラインと前記原稿とが交差するよう
に前記光源又は前記原稿を移動させ、前記光源から出射されて前記原稿の画像面で反射さ
れた反射光を結像レンズを通して固体撮像素子に導く画像読取装置において、
前記固体撮像素子の裏面側に対面するように前記固体撮像素子とリード線で連結された
電装基板と、
前記固体撮像素子の表面側に位置する位置決め面としての撮像面が後方から当接される
当接面を裏面側に有する保持部材と、
前記保持部材に取り付けられて、前記固体撮像素子を裏面側から付勢して、前記撮像面
を前記保持部材の前記当接面に当接させる付勢部材と、を備え、
前記保持部材は、前記結像レンズと前記固体撮像素子の前記撮像面との間に位置する部
分に、前記結像レンズによって結像された光が通過する窓部を有し、前記窓部における裏
面側の周縁部に前記当接面が額縁状に形成され、
前記付勢部材は、前記固体撮像素子の裏面側における、前記窓部の裏面側の前記当接面
に対応する部分を押圧する押圧部が凸状に突設され、
前記固体撮像素子は、前記撮像面が前記付勢部材によって付勢されて額縁状の前記当接
面に額縁状に当接させられ、前記当接面と前記付勢部材の前記押圧部とで挟持される、
ことを特徴とする画像読取装置。
【請求項２】
前記電装基板は、複数の電装品を有し、
前記複数の電装品のうち、高温になる前記電装品は、前記電装基板における、前記固体
撮像素子に対応する部分よりも外側に配置されている、
ことを特徴とする請求項１に記載の画像読取装置。
【請求項３】
前記電装基板を冷却する冷却手段を設けた、
ことを特徴とする請求項２に記載の画像読取装置。
【請求項４】
原稿の画像を読み取る画像読取部と、前記画像読取部によって読み取られた原稿の画像
情報に基づいてシート上に画像を形成する画像形成部と、前記画像形成部にシートを供給
するシート給送部と、を備えた画像形成装置において、
前記画像読取部に、請求項１乃至３のいずれか１項に記載の画像読取装置が配設されて
いる、
ことを特徴とする画像形成装置。
【発明の詳細な説明】
【技術分野】
【０００１】
本発明は、固体撮像素子を有する画像読取装置、及びこれを備えた画像形成装置に関する。
【背景技術】
【０００２】
複写機，プリンタ，ファクシミリ等の画像形成装置に使用される画像読取装置は、画像を読み取るデバイスとして、ＣＣＤ１００等の固体撮像素子が使用される。
【０００３】
図７は、ＣＣＤ１００の取付構造の一例を説明する上面図である。ＣＣＤ１００は、結
像レンズ１０１に向いた表面側が撮像面１００ａとなっていて、両端部のリード線１００
ｂが、ＣＣＤ基板（電装基板）１０２のスルーホールを貫通して、ハンダ付けされている
。ＣＣＤ１００は、これにより、ＣＣＤ基板１０２の表面１０２ａ側に保持されている。
ＣＣＤ基板１０２の背面（裏面）１０２ｂ側には、種々の電装品や回路が配設されている
。ＣＣＤ基板１０２は、ＣＣＤ取付板１０３に固定されている。ＣＣＤ取付板１０３には
、背面側に２個のブラケット１０３ａが突設されていて、ＣＣＤ基板１０２の両端部が、
これらブラケット１０３に、締結ビス１０４によって固定されている。ＣＣＤ取付板１０
３における、ＣＣＤ１００の撮像面１００ａに対応する部分には、窓部１０３ｂが設けら
れている。原稿の画像を読み取る際、光源から原稿を照射した光は、原稿によって反射さ
れ、その反射光は、複数のレンズによって反射され、さらに、結像レンズ１０１を通過し
て、ＣＣＤ１００の撮像面１００ａで結像し、光量に対応した、電気信号に変換されるよ
うになっている。
【０００４】
上述のＣＣＤ基板１０２にあっては、使用に伴い、背面１０２ｂ側に配設された電装品
等が高温となるため、図７に二点鎖線で示すように、両端部に対して中央側が背面側に凸
状に撓んでしまう。これにより、ＣＣＤ１００の撮像面１００ａが背面側にずれてしまう
。このため、結像レンズ１０１を通過した光は、撮像面１００ａの手前で結像してしまい
、いわゆるピントズレが発生する。
【０００５】
特許文献１には、上述のようなピントズレを防止するための技術が提案されている。このものは、ＣＣＤを背面側のスペーサに接着するとともに、スペーサの背面側に配置したＣＣＤ基板にハンダ付けする。そして、スペーサを、ＣＣＤ基板とともに、位置調整用のブラケットにねじによって固定している。これによると、ＣＣＤ基板が熱によって湾曲した場合でも、ＣＣＤは湾曲しないので、撮像面の位置精度を確保することができる。
【特許文献１】特開２００１−２４５０９８号公報
【発明の開示】
【発明が解決しようとする課題】
【０００６】
しかしながら、上述の特許文献１によると、ＣＣＤの撮像面の位置精度を確保することはできるものの、ＣＣＤをスペーサによって保持するために、ＣＣＤをスペーサに接着する工程が必要となり、組み立て工数がかかるという問題があった。
【０００７】
そこで、本発明は、昇温等によって電装基板が湾曲した場合でも、固体撮像素子の撮像面の位置精度を高く保持することができ、かつ、組み立て作業が簡単な画像読取装置、及びこれを備えた画像読取装置を提供することを目的とするものである。
【課題を解決するための手段】
【０００８】
請求項１に係る発明は、原稿の画像面を光源によりライン状に照射し、前記ラインと前
記原稿とが交差するように前記光源又は前記原稿を移動させ、前記光源から出射されて前
記原稿の画像面で反射された反射光を結像レンズを通して固体撮像素子に導く画像読取装
置に関する。この発明に係る画像読取装置は、前記固体撮像素子の裏面側に対面するよう
に前記固体撮像素子とリード線で連結された電装基板と、前記固体撮像素子の表面側に位
置する位置決め面としての撮像面が後方から当接される当接面を裏面側に有する保持部材
と、前記保持部材に取り付けられて、前記固体撮像素子を裏面側から付勢して、前記撮像
面を前記保持部材の前記当接面に当接させる付勢部材と、を備えている。この発明におい
て、前記保持部材は、前記結像レンズと前記固体撮像素子の前記撮像面との間に位置する
部分に、前記結像レンズによって結像された光が通過する窓部を有し、前記窓部における
裏面側の周縁部に前記当接面が額縁状に形成されている。また、前記付勢部材は、前記固
体撮像素子の裏面側における、前記窓部の裏面側の前記当接面に対応する部分を押圧する
押圧部が凸状に突設されている。また、前記固体撮像素子は、前記撮像面が前記付勢部材
によって付勢されて額縁状の前記当接面に額縁状に当接させられ、前記当接面と前記付勢
部材の前記押圧部とで挟持されるようになっている。
【００１２】
請求項２に係る発明は、請求項１に係る画像読取装置において、前記電装基板は、複数
の電装品を有し、前記複数の電装品のうち、高温になる前記電装品は、前記電装基板にお
ける、前記固体撮像素子に対応する部分よりも外側に配置されている、ことを特徴として
いる。
【００１３】
請求項３に係る発明は、請求項２に係る画像読取装置において、前記電装基板を冷却す
る冷却手段を設けた、ことを特徴としている。
【００１４】
請求項４に係る発明は、原稿の画像を読み取る画像読取部と、前記画像読取部によって
読み取られた原稿の画像情報に基づいてシート上に画像を形成する画像形成部と、前記画
像形成部にシートを供給するシート給送部と、を備えた画像形成装置に関する。この発明
に係る画像形成装置は、前記画像読取部に、請求項１乃至３のいずれか１項に係る画像読
取装置が配設されている、ことを特徴としている。
【発明の効果】
【００１５】
請求項１の発明によれば、固体撮像素子と電装基板との間はリード線で連結されているだけなので、例えば、電装基板が熱によって変形した場合であっても、固体撮像素子はその影響をほとんど受けることがない。しかも、固体撮像素子は、その位置決めとしての撮像面が、付勢部材によって直接、保持部材の当接面に当接されることで位置決めされている。したがって、電装基板が変形しても、固体撮像素子は変形することなく、その撮像面を高い精度で保持することができる。したがって、結像レンズを通過した光は、ピントズレを起こすことなく、常に、撮像面で結像する。
【００１６】
また、請求項１の発明によれば、結像レンズを通過した光は、保持部材の窓部を通過し
て、固体撮像素子の撮像面で結像することができる。
【００１７】
また、請求項１の発明によれば、固体撮像素子は、その撮像面の一部を窓部の裏面側に
おける周縁部に形成された当接面に当接させることで、撮像面の位置決めがなされる。つ
まり、撮像面は、電装基板を解することなく、保持部材の位置決め部に直接、当接される
ことで、直接、位置決めされることになる。
【００１８】
また、請求項１の発明によれば、付勢部材は、保持部材の当接面との間に、固体撮像素
子の周縁部を挟み込むことで、固体撮像素子を付勢状態で保持することができる。つまり
、付勢部材は、固体撮像素子を付勢する際に、付勢によって固体撮像素子を変形させにく
い位置を付勢することになる。
【００１９】
請求項２の発明によれば、固体撮像素子は、電装基板側で発生する熱の影響を一層、受
けにくくなる。
【００２０】
請求項３の発明によれば、冷却手段によって、電装基板の変形を少なくすることができ
る。
【００２１】
請求項４の発明によれば、画像読取装置における上述の請求項１〜３の効果を、画像形
成装置として奏することができる。
【発明を実施するための最良の形態】
【００２２】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２３】
＜実施形態１＞
図１〜図６を参照して、本発明に係る画像読取装置１０について説明する。このうち、
図１は、画像読取装置１０の縦断面を正面側（前側）から見た図である。図２は、シート
状の原稿ＧのサイズがＡ列，Ｂ列である場合の、原稿載置用ガラス１８と、各サイズの原
稿Ｇの載置位置と、光源１２を構成するライン状のＬＥＤ素子Ｌ１〜Ｌ２２との位置関係
を説明する上面図である。図３は、ＣＣＤ１４の近傍の上面図である。図４は、ＣＣＤ１
４近傍の左側面図である。図５（ａ）はＣＣＤ基板５０の左側面図、（ｂ）は付勢部材５
５の左側面図、（ｃ）はＣＣＤ１４の左側面図である。図６は、ＣＣＤ取付板５１の左側
面図である。なお、図１〜図３において矢印で示す前後左右上下等の方向は、実際の画像
読取装置１０、光源１２、ＣＣＤ１４等の前後左右上下等の方向を示している。
【００２４】
図１に示すように、画像読取装置１０は、照明装置１１と結像レンズ１３とＣＣＤ（固体撮像素子）１４とを備えており、さらに、照明装置１１は、光源１２と駆動装置１５とを備えている。これら光源１２、駆動装置１５、結像レンズ１３、ＣＣＤ１４は、いずれも直方体状の筐体（フレーム）１６の内側の収納室Ｓに配設されている。筐体１６は、その上面に開口部１７を有していて、この開口部１７には、原稿Ｇの固定読み時に使用される透明な原稿載置用ガラス１８が配設されている。これに対し、後述する原稿自動給送装置６０を使用して、原稿Ｇを流し読みする際には、この原稿載置用ガラス１８の左側に配置されている、前後方向に長い透明なシートスルー用ガラス１８ａが使用される。
【００２５】
図２に示すように、原稿載置用ガラス１８は、最大サイズの原稿Ｇ（本実施形態ではＡ３サイズ）よりも大きい長方形状に形成されている。原稿載置用ガラス１８の左端には前後方向に向けて左指示板２０が、また後端及び前端には、それぞれ左右方向に向けて後指示板２１、前指示板２２が配設されている。このうち左指示板２０と後指示板２１とが交差する位置が、原稿Ｇを固定読みする際の読取基準位置Ｐ０１となる。固定読み時に原稿載置用ガラス１８に載置される原稿Ｇは、１つの角部を基準位置Ｐ０１に合わせ、左端を左指示板２０に合わせ、後端を後指示板２１に合わせて位置決めされる。これが、固定読み時の読取位置である。図２中には、読取位置に配置された状態の各サイズの原稿Ｇの位置及び向きを、「Ａ６Ｒ，Ｂ６Ｒ，Ｂ５（Ｒ），Ａ４（Ｒ），Ｂ４，Ａ３」のように表示している。なお、左指示板２０及び後指示板２１における、これらの表示に対応する位置には、これらと同じ表記が付されている。原稿載置用ガラス１８の左端側における下方には、光源１２が配設されている。光源１２は、後述するように、点光源であるのＬＥＤ素子Ｌ１〜Ｌ２２を前後方向に並べて全体として前後方向に長く構成されている。
【００２６】
図１に示すように、原稿載置用ガラス１８の左端側の下方には、照明用光学移動枠ユニット２３が配設されている。照明用光学移動枠ユニット２３は、前後方向に長い移動枠２４を有している。この移動枠２４には、光源１２が取り付けられた光源用メイン基板（基板）２５と、導光レンズ１９と、反射板２６と、第１ミラー２７とが搭載されている。このうち光源用メイン基板２５は、図２に示すように、前後方向に長く形成されていて、その上面には、光源１２が取り付けられている。本実施形態では、光源１２は、点光源であるのＬＥＤ素子Ｌ１〜Ｌ２２を複数（図２では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿Ｇの画像面をムラ無く照射できる所定のピッチＰ（本実施形態では１５ｍｍ）で整列されている。図２において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図２に示す例では、通紙幅が最大となる、Ａ４サイズの原稿Ｇの長辺（＝２９７ｍｍ）、またはＡ３サイズの原稿Ｇの短辺（＝２９７ｍｍ）が入るように設定されている。複数のＬＥＤ素子Ｌ１〜Ｌ２２によって構成された光源１２は、図１に示すように、原稿載置用ガラス１８の上面に設定されている読取ラインＬｎを右斜め下方から照射するようになっている。これらＬＥＤ素子Ｌ１〜Ｌ２２は、図１に示す制御手段７０によって、個別に点灯（オン）及び消灯（オフ）のタイミングが制御される。また、光量についても、制御手段７０により、電流値又は電圧値が調整されることで、個別に制御されるようになっている。導光レンズ１９は、光源１２と読取ラインＬｎとの間に位置するように、移動枠２４によって保持されており、光源１２から発光された光を読取ラインＬｎに導くようになっている。
【００２７】
図１に示すように、反射板２６は、読取ラインＬｎから下ろした垂線に対して、上述の光源１２と反対側に配置されている。上述のように、光源１２は、原稿載置用ガラス１８上の原稿Ｇを右斜め下方から照射しているため、原稿Ｇの左端に影が形成されて、この影が前後方向の直線状の画像として読み込まれがちである。反射板２６は、光源１２からの光を反射して読取ラインＬｎに導いて、この影を除去する。なお、本実施形態では、反射板２６は、光源１２からの光を反射して原稿Ｇの画像面を間接照射し、これにより、直接照射による物面照度ムラや像面照度ムラを低減する部材としても使用されている。
【００２８】
照明用光学移動枠ユニット２３における、読取ラインＬｎの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、導光レンズ１９、反射板２６、第１ミラー２７を搭載した状態で、左右方向に敷設した光学レール（ガイド部材）２９に沿って左右方向に移動できる。つまり、前後方向にライン状（線状）の光源１２に対して、これに直交する左右方向に移動することができるようになっている。この照明用光学移動枠ユニット２３は、右方に移動しながら読取ラインＬｎに向けて光源１２から光を照射し、原稿Ｇの画像面からの反射光を次に説明する第２ミラー２８に導くものである。
【００２９】
図１に示すように、原稿載置用ガラス１８の左端側の下方には、上述の照明用光学移動枠ユニット２３の左方に、反射用光学移動枠ユニット３０が配設されている。反射用光学移動枠ユニット３０は、前後方向に長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３０】
図１に示すように、筐体１６の左端近傍には前端と後端とに固定左プーリ３４，３４が、また筐体１６の右端近傍には前端と後端とに固定右プーリ３５，３５がそれぞれ回動自在に配設されている。また、固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。
【００３１】
これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、ワイヤドラム４２，４２に１周分巻き付けられた後、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止されている。
【００３２】
このような光学ワイヤ４３，４３の引き回しに基づき、モータ３６が図１中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、読取ラインＬｎからＣＣＤ１４に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３３】
図１に示すように、結像レンズ１３は、レンズ取付台４６に固定されたレンズ取付板４
８上に固定されている。光源１２から照射された光は、原稿Ｇの画像面で反射されて、同
図に示す光路Ｋをたどる。すなわち、画像面からの反射光は、第１ミラー２７、第２ミラ
ー２８、第３ミラー３２で反射されて結像レンズ１３を通過して、次に説明するＣＣＤ１
４上で結像される。レンズ取付板４８の後端側には屈曲形状のＣＣＤ調整板４９が固定さ
れていて、このＣＣＤ調整板４９の水平部４９ａには、前端側と後端側とに、後述する光
軸調整ピン５３，５３が螺合される雌ねじ（不図示）が螺刻されている。
【００３４】
ＣＣＤ１４は、直立姿勢のＣＣＤ基板（電装基板）５０の表面（図１では左面）に取り
付けられており、ＣＣＤ取付板（保持部材）５１によって保持された状態で、ＣＣＤ基板
５０とともに、箱状のＣＣＤカバー５２によって覆われている。ＣＣＤ取付板５１の上端
は、左方に屈曲された水平部５１ａとなっていて、この水平部５１ａには、前端側と後端
側とに、光軸調整ピン５３，５３が貫通する透孔（不図示）が穿設されている。光軸調整
ピン５３，５３は、ＣＣＤ取付板５１側の水平部５１ａ上の透孔を上方から貫通するとと
もに、ＣＣＤ調整板４９側の水平部４９ａの雌ねじに螺合されている。さらに、これら水
平部４９ａ，５１ａの間には、光軸調整ピン５３，５３によって貫通された圧縮ばね５４
，５４が介装されている。ＣＣＤ取付板５１は、この圧縮ばね５４，５４によって、ＣＣ
Ｄ調整板４９に対して上方に付勢されており、上述の光軸調整ピン５３，５３の大径の頭
部に下方から当接されている。光軸調整ピン５３，５３は、ＣＣＤ調整板４９の水平部４
９ａに対するねじ込み量を調整することで、ＣＣＤ１４の前後方向の傾斜を調整すること
ができるようになっている。なお、本発明においては、ＣＣＤ１４の取付構造を工夫する
ことで、ＣＣＤ基板５０が熱変形した場合でも、その影響がＣＣＤ１４の取付精度に可及
的、影響を及ぼさないようにしている。この点については後に詳述する。
【００３５】
図１に示すように、本実施形態では、画像読取装置１０は、原稿載置用ガラス１８の上方に、開閉自在な自動原稿給送装置６０を備えていて、この自動原稿給送装置６０で原稿Ｇを搬送することで、原稿Ｇの流し読みを行っている。自動原稿給送装置６０全体は、後端側が、筐体１６における原稿載置用ガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００３６】
図１に示すように、給紙トレイ６１には、載置された原稿Ｇの後端及び前端（原稿Ｇの搬送方向に向かってみた場合の右端及び左端）の位置を規制するサイド規制板６５，６６が前後方向に移動自在に配設されている。これらサイド規制板６５，６６の間には、例えば、ラック＆ピニオン等の連動機構（不図示）が介装されていて、給紙トレイ６１の通紙幅方向（前後方向）の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００３７】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００３８】
上述構成の画像読取装置１０は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子Ｌのみが点灯され、照射に寄与しないＬＥＤ素子Ｌは消灯されるようになっている。
【００３９】
前者の固定読みに際しては、自動原稿給送装置６０を開放して、原稿Ｇを原稿載置用ガラス１８上にセットする。このとき、原稿Ｇを後端基準で読取位置にセットする。自動原稿給送装置６０を原稿Ｇの上から閉鎖すると、一旦、光源１２のすべてのＬＥＤ素子Ｌ１〜Ｌ２２が点灯され、原稿Ｇからの反射光がＣＣＤ１４に入射される。このときの通紙幅方向に沿っての入射光量の違いに基づいて、原稿Ｇのサイズ（通紙幅）が検知される。制御手段７０は、この検知結果に基づいて、画像読取りの際に点灯させるＬＥＤ素子Ｌを決定する。例えば、図２に示すように、後端基準で原稿載置用ガラス１８にセットされた原稿Ｇが、Ａ４縦（Ａ４Ｒ）の場合には、ＬＥＤ素子Ｌ１〜Ｌ１６の合計１６個のＬＥＤ素子Ｌが点灯されることになる。
【００４０】
つづいて、作業者が筐体１６に取り付けられている操作パネル（不図示）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬｎに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。
【００４１】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネルの読取開始ボタンを押すと、照明用光学移動枠ユニット２３が左指示板２０の左側のシートスルー用ガラス１８ａの画像読取部Ｒの下方の読取位置に移動する。給紙トレイ６１上の原稿Ｇは、搬送ローラ６２等によって画像読取部Ｒに搬送される。このとき、光源１２から照射された照射光は、画像読取部Ｒを通過する原稿Ｇの画像面によって反射され、上述の固定読みの場合と同様、第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。流し読みに際し、例えば、原稿ＧがＡ４Ｒの場合には、ＬＥＤ素子Ｌ１〜Ｌ２２のうち、中央側のＬＥＤ素子Ｌ４〜Ｌ１９が点灯され、両外側のＬＥＤ素子Ｌ１〜Ｌ３及びＬＥＤ素子Ｌ２０〜Ｌ２２は消灯される。
【００４２】
次に、図３〜図６を参照して、ＣＣＤ１４の取付構造について説明する。図３は、ＣＣ
Ｄ１４近傍を上方から見た状態を模式的に示す拡大図である。図４は、ＣＣＤ１４近傍を
左方から見た状態を模式的に示す拡大図である。図５，図６は、ＣＣＤ１４近傍の構成を
各部材毎に分解して示す左側面図である。なお、以下の説明では、ＣＣＤ取付板５１の垂
直部５１ｂ、ＣＣＤ１４、ＣＣＤ基板５０について、結像レンズ１３に近い側の面を表面
側といい、遠い側の面を裏面側というものとする。また、図３中の方向を示す矢印の前後
方向は、図１における手前−奥方向、及び図２に示す前後方向に対応しており、図３に示
す左右方向は、図１，図２における左右方向と対応している。
【００４３】
図３〜図５に示すように、固体撮像素子としてのＣＣＤ１４は、上下方向に短く、前後方向に長い長方形状に形成されている。言い換えると、表面１４ａ側から見た形状としては、左右方向に長い長方形状となっている。ＣＣＤ１４の表面１４ａ側には、結像レンズ１３に対向するようにして、前後方向に長いＲ（レッド），Ｇ（グリーン），Ｂ（ブルー），Ｋ（ブラック）の各色のラインセンサ（不図示）が上下４段に配置されている。ＣＣＤ１４は、この各色のラインセンサが配置されている表面１４ａが、画像読取時の基準となる位置決め面としての撮像面１４ｃとなっていて、上述の結像レンズ１３を通過した光は、この撮像面１４ｃで結像されるようになっている。つまり、ＣＣＤ１４は、結像レンズ１３に対して、この撮像面１４ｃでピントが合うように左右方向の位置が調整されている。ＣＣＤ１４の裏面１４ｂ側における前端側及び後端側には、それぞれリード線１４ｄが右方に向かって突設されている。
【００４４】
ＣＣＤ１４の裏面１４ｂ側（右側）には、ＣＣＤ基板５０が配設されている。ＣＣＤ基板５０は、ＣＣＤ１４よりも大きい長方形状に形成されていて、その表面５０ａがＣＣＤ１４の裏面１４ｂに対面するように、所定の間隙を介して平行に配置されている。ＣＣＤ基板５０には、ＣＣＤ１４のリード線１４ｄに対応する部分にスルーホール５０ｃが穿設されていて、リード線１４ｄは、スルーホール５０ｃを表面５０ａ側から裏面５０ｂが貫通するとともに、ハンダ付けされることで固定されている。本実施形態においては、ＣＣＤ基板５０は、これを保持するための部材は特に設けてなく、ＣＣＤ１４によってリード線１４ｄを介して保持されるようになっている。ＣＣＤ基板５０の裏面５０ｂには、回路や、抵抗，レジスタ等の電装品（不図示）が多数配設されていて、リード線１４ｄによって、ＣＣＤ１４に接続されている。これら電装品は、ＣＣＤ１４の使用に伴って昇温する。そこで、本実施形態では、電装品のうち、特に高温に昇温するものは、ＣＣＤ基板５０のうちの、ＣＣＤ１４に対応する部分（ＣＣＤ１４と同形の長方形の領域）よりも外側に位置するように配置した。これにより、ＣＣＤ１４に対する熱の影響が少なくなるようにしている。なお、ＣＣＤ基板５０に対して、これの昇温を防止するような冷却手段（不図示）を設けることも有効である。ここで、冷却手段としては、ＣＣＤ基板５０に直接、エアを吹き付けるファンや、ＣＣＤ近傍にエアの流れを構成するようなファンを配置するものが考えられる。
【００４５】
保持部材としてのＣＣＤ取付板５１は、ＣＣＤ１４の表面１４ａ側に配置されている。
ＣＣＤ取付板５１は、上述のＣＣＤ基板５０とほぼ同じ大きさの垂直部５１ｂと、この垂
直部５１ｂの上端から左方に屈曲された水平部５１ａとを有しており、水平部５１ａの前
後の両端部には、上述の光軸調整ピン５３が上方から貫通されている。垂直部５１ｂのほ
ぼ中央には、垂直部５１ｂを表面５１ｃ側から裏面５１ｄ側に貫通する窓部５１ｅが形成
されている。窓部５１ｅは、上下方向及び前後方向の寸法が、いずれもＣＣＤ１４よりも
少し小さい長方形状に形成されている。窓部５１ｅにおける裏面５１ｄ側の周縁部には、
額縁状に当接面５１ｆが設けられている。この当接面５１ｆに対して、ＣＣＤ１４の表面
１４ａ側の位置決め面としての撮像面１４ｃが、裏面側から額縁状に当接されることで、
結像レンズ１３に対して、撮像面１４ｃの位置決めが行われる。つまり、この状態で、結
像レンズ１３を通過した光は、撮像面１４ｃで結像するようになっている。
【００４６】
ＣＣＤ１４は、ＣＣＤ取付板５１に取り付けられる付勢部材５５によって保持される。付勢部材５５は、前後方向の両端部にそれぞれ配置された取付部５５ａと、取付部５５ａからＣＣＤ基板５０に向けてほぼ９０度屈曲され、さらに、中央側に屈曲されて、ＣＣＤ１４とＣＣＤ基板５０との間に位置する付勢部５５ｂを有していて、付勢部５５ｂには、前端側と後端側とにそれぞれ、ＣＣＤ１４の裏面１４ｂに向けて凸状に突設された、上面視「Ｖ」字形の押圧部５５ｃが形成されている。図５（ｂ），（ｃ）に示すように、付勢部材５５の上下方向の寸法Ｈ１は、ＣＣＤ１４の上下方向の寸法Ｈ２よりも小さく設定されていて、ＣＣＤ１４のリード線１４ｄは、付勢部材５５の上方及び下方を通過して、ＣＣＤ基板５０に至るように構成されている。前後の取付部５５ａは、それぞれ締結ビス５６によってＣＣＤ取付板５１の垂直部５１ｂの表面５１ｃに固定されている。これにより、押圧部５５ｃが、ＣＣＤ１４の周縁部における前端側及び後端側を、裏面１４ｂ側からＣＣＤ取付板５１に押圧している。さらに、ＣＣＤ１４の裏面１４ｂに対する、押圧部５５ｃの押圧位置は、ＣＣＤ取付板５１の裏面５１ｄ側の当接面５１ｆに対応している。つまり、ＣＣＤ１４の周縁部は、当接面５１ｆと押圧部５５ｃとによって挟み込まれるようになっている。これにより、押圧部５５ｃが、ＣＣＤ１４における、当接面５１ｆよりも内側に位置する部分を押圧したときに発生する変形を未然に防止することができる。
【００４７】
ＣＣＤ１４は、ＣＣＤ取付板５１に対して、以下のようにして取り付ける。ＣＣＤ１４
を、その周縁部がＣＣＤ１４取付板５１の当接面５１ｆに当接させた状態で保持する。こ
の状態で、付勢部材５５によってＣＣＤ１４を保持する。すなわち、付勢部材５５の押圧
部５５ｃによって、ＣＣＤ１４の周縁部を裏面１４ｂ側から押圧し、付勢部材５５の取付
部５５ａを締結ビス５６によってＣＣＤ取付板５１に固定する。その後、ＣＣＤ基板５０
を取り付ける。すなわち、ＣＣＤ基板５０のスルーホールにＣＣＤ１４のリード線１４ｄ
を通過させ、このリード線１４ｄをハンダ付けする。これにより、ＣＣＤ１４によってＣ
ＣＤ基板５０を保持することができる。
【００４８】
以上のように、本発明によると、従来技術とは異なり、ＣＣＤ１４を接着する接着工程
が不要であり、その取付工程を簡略化することができる。さらに、ＣＣＤ１４は、その撮
像面１４ａがＣＣＤ取付板５１に対して直接的に位置決めされているので、撮像面１４ａ
を結像レンズ１３に対して高い精度で位置決めすることができる。さらに、ＣＣＤ１４は
、ＣＣＤ取付板５１及び付勢部材５５とによって直接保持されており、ＣＣＤ基板５０と
は、リード線１４ｄを介して連結されているだけであるので、例えば、ＣＣＤ基板５０が
熱によって図３中の二点鎖線で示すように湾曲した場合でも、ＣＣＤ１４が湾曲するよう
なことはない。このため、結像レンズ１３に対して、撮像面１４ｃを常時、高い位置精度
で保持することが可能となる。なお、ＣＣＤ１４は、ＣＣＤ保持板５１と付勢部材５５と
によって挟持されているだけであるので、ＣＣＤ１４は、必要に応じて、上下方向及び前
後方向の位置を、適宜に微調整することが容易である。
【産業上の利用可能性】
【００４９】
上述では、本発明を画像読取装置に使用する場合を例に説明したが、本発明は、これ以外に例えば、結像レンズに対してＣＣＤを高い精度で位置決めするための構成として、画像読取装置以外の他の装置に対しても広く適用することができる。
【図面の簡単な説明】
【００５０】
【図１】画像読取装置の縦断面を正面側（前側）から見た図である。
【図２】シート状の原稿のサイズがＡ列，Ｂ列である場合の、原稿載置用ガラスと、各サイズの原稿の載置位置と、光源を構成するＬＥＤ素子との位置関係を説明する上面図である。
【図３】ＣＣＤ近傍を上方から見た状態を模式的に示す拡大図である。
【図４】ＣＣＤ近傍を左方から見た状態を模式的に示す拡大図である。
【図５】（ａ），（ｂ），（ｃ）はこの順に、ＣＣＤ基板、付勢部材、ＣＤＤをそれぞれ単品として左方から見た図である。
【図６】ＣＣＤ取付板を単品として左方から見た図である。
【図７】従来の構成において、ＣＣＤ近傍を上方から見た状態を模式的に示す拡大図である。
【符号の説明】
【００５１】
１……画像形成装置、２……シート給送部、３……画像形成部、４……定着部、５……シート排出部、１０……画像読取装置、１２……光源、１３……結像レンズ、１４……ＣＣＤ（固体撮像素子）、１４ａ……ＣＣＤの表面（固体撮像素子の表面）、１４ｂ……ＣＣＤの裏面（固体撮像素子の裏面）、１４ｃ……撮像面（位置決め面）、１４ｄ……リード線、５０……ＣＣＤ基板（電装基板）、５１……ＣＣＤ取付板（保持部材）、５１ｄ……ＣＣＤ取付板の裏面（保持部材の裏面）、５１ｅ……窓部、５１ｆ……当接面、５５……付勢部材、５５ｃ……押圧部
【図１】
0005002374.tif 000002
【図２】
0005002374.tif 000003
【図３】
0005002374.tif 000004
【図４】
0005002374.tif 000005
【図５】
0005002374.tif 000006
【図６】
0005002374.tif 000007
【図７】
0005002374.tif 000008